(57)【特許請求の範囲】
【請求項１】
前軸と、前軸の後部に連結され、かつ後部に長手方向に伸びた摺動溝を複数形成した後軸と、後軸内に摺動溝と同数内蔵され、かつ摺動溝よりノック部が突出し摺動溝内を長手方向に摺動可能な押圧部材と、各押圧部材の前部に連結されたレフィールと、押圧部材を長手方向後方に付勢するコイルスプリングとからなり、押圧部材を前進させて後軸に係止することによりレフィールの先端が前軸の先端開口孔より突出する複合筆記具において、前記コイルスプリングの両端および中間部分の適宜位置に密着部を形成し、該コイルスプリング内をレフィールの後部が挿通して押圧部材に圧入嵌合することを特徴とする複合筆記具。
【請求項２】
レフィールの１本を入力ペンで構成し、その他のレフィールをボールペン等の筆記具で構成したことを特徴とする請求項１記載の複合筆記具。
【発明の詳細な説明】
【０００１】
【産業上の利用分野】
本発明は、任意のレフィールを前軸の先端開口孔より突出させて使用する複合筆記具に関する。
【０００２】
【従来の技術】
従来、押圧部材を前進させてレフィールの先端を突出させる複合筆記具においては、押圧部材を長手方向後方に付勢する為にコイルスプリングが設けられていた。
【０００３】
【発明が解決しようとする課題】
しかし、上記従来の複合筆記具においては、レフィールを押圧部材に圧入嵌合させる為に、レフィールの後部をコイルスプリングに挿通させる時、レフィールの後端がコイルスプリングに引っ掛かり、非常に挿通させにくく、場合によってはコイルスプリングを変形させて作動不良が発生してしまうものであった。
本発明は、上記した課題を解消する複合筆記具を提供することを目的とするものである。
【０００４】
【課題を解決するための手段】
上記目的を達成するために本発明は、前軸の後部に連結され、かつ後部に長手方向に伸びた摺動溝を複数形成した後軸と、後軸内に摺動溝と同数内蔵され、かつ摺動溝よりノック部が突出し摺動溝内を長手方向に摺動可能な押圧部材と、各押圧部材の前部に連結されたレフィールと、押圧部材を長手方向後方に付勢するコイルスプリングとからなり、押圧部材を前進させて後軸に係止することによりレフィールの先端が前軸の先端開口孔より突出する複合筆記具において、前記コイルスプリングの両端および中間部分の適宜位置に密着部を形成し、該コイルスプリング内をレフィールの後部が挿通して押圧部材に圧入嵌合することを要旨とする。
従って、レフィールの後部をコイルスプリングに挿通する時、密着部によりレフィールの後部がガイドされるので確実にレフィールの後部がコイルスプリング内を挿通できるものである。
【０００５】
【実施例】
本発明の実施例を図１、図２、図３および図４により説明すると、前軸１の後部に後軸２を着脱可能に螺合する。後軸２の後部には長手方向に伸びた２つの摺動溝２Ａを相対させて形成する。更に、それぞれの摺動溝２Ａの両側方向より長手方向に伸びて隆起した係止突部２Ｂを形成し、該係止突部２Ｂの前端２Ｃが中心軸方向に行くにしたがって後方に凹むように傾斜される。後軸２の前部内面には、内側に隆起した回り止め部２Ｄと、２つの突起２Ｅが形成される。該後軸２の先端より内軸３が挿入され、内軸３のサイドカット部３Ａが前記後軸２の回り止め部２Ｄと係合して回動不能に位置決めされ、かつ内軸３の外鍔３Ｂが前記後軸２の内面に形成した突起２Ｅおよび回り止め部２Ｄに形成した突起２Ｆを乗り越えて係止される。後軸２の２つの摺動溝２Ａには、それぞれ合成樹脂製の押圧部材４、５が長手方向に摺動可能に挿入され、押圧部材４、５のノック部４Ａ、５Ａが摺動溝２Ａより外方に突出する。押圧部材４、５の後部には傾斜内段４Ｂ、５Ｂが形成され、該傾斜内段４Ｂ、５Ｂは中心軸方向に行くに従って後方へ突き出るように傾斜されている。押圧部材４、５の前端には前方に突出した突起４Ｃ、５Ｃが形成され、該突起４Ｃ、５Ｃの前部には球状部４Ｄ、５Ｄが形成されている。入力ペンレフィール６は、先端が丸められた円錐状の入力部材６Ａと、該入力部材６Ａの後部が圧入される樹脂パイプ６Ｂから構成される。尚、入力部材６Ａの材質としては合成樹脂が考えられる。内軸３と押圧部材４、５の前端との間には２つのコイルスプリング８が並列に張架され、該コイルスプリング８は両端および複数の中間部分に密着部８Ａが形成されている。前記入力ペンレフィール６の樹脂パイプ６Ｂは、内軸３の摺動孔３Ｃを挿通するとともに前記コイルスプリング８を挿通する。この時、入力ペンレフィール６の樹脂パイプ６Ｂはコイルスプリング８の密着部８Ａによりガイドされるので確実にコイルスプリング８内を挿通する。この入力ペンレフィール６の後部は前記押圧部材４の球状部４Ｄに屈曲可能に圧入される。また、通常に使用されているボールペンレフィール７の樹脂製インキタンク７Ａも内軸３の摺動孔３Ｃを挿通した後、密着部８Ａにガイトされながらコイルスプリング８内を挿通し、押圧部材５の球状部５Ｄに屈曲可能に圧入される。これら押圧部材４、５は前記コイルスプリング８により長手方向後方に付勢され、押圧部材４、５の肩部４Ｅ、５Ｅが後軸２の後部段２Ｇに当接される。
【０００６】
図示してないが、押圧部材の突起の前部に円板状部を形成し、該円板状部を入力ペンレフィールの樹脂パイプおよびボールペンレフィールのインキタンクに屈曲可能に圧入しても良い。
【０００７】
次に入力ペンレフィール６およびボールペンレフィール７を出没させる操作を説明する。前記した図１の没入状態において、入力ペンレフィール６を連結した押圧部材４のノック部４Ａを指で長手方向前方に押圧すると、後軸２の摺動溝２Ａ内を押圧部材４が前進する。そして押圧部材４が適宜前進すると押圧部材４の傾斜内段４Ｂが内側に落ち込んで後軸２の係止突部２Ｂの前端２Ｃに係止し、入力ペンレフィール６の入力部材６Ａが前軸１の先端開口孔１Ａより突出して図６に示した状態になる。しかも、図７に示したように、押圧部材４の傾斜内段４Ｂは中心軸方向に行くに従って後方に突き出るように傾斜され、かつ後軸２の係止突部２Ｂの前端２Ｃは中心軸方向に行くに従って後方に凹むように傾斜されているので、押圧部材４の傾斜内段４Ｂが後軸２の係止突部２Ｂの前端２Ｃに当接されると押圧部材４は中心軸方向に付勢され、押圧部材４の係止は外れにくく確実に係止される。従って、この状態で入力ペンレフィール６の先端を強く押圧して入力操作を行っても、押圧部材４の係止が外れる恐れはない。入力ペンレフィール６を没入させるには、ボールペンレフィール７が連結された押圧部材５を前進させ、該押圧部材５に形成された内側隆起部５Ｆを押圧部材４に形成した内側ピン４Ｇに当接させて、押圧部材４を外周方向に押し上げれば、押圧部材４の傾斜内段４Ｂが後軸２の係止突部２Ｂから外れる。従って、入力ペンレフィール６はコイルスプリング８の弾発力により長手方向後方に付勢され、図１の状態に復帰する。ボールペンレフィール７を突出させる場合も、入力ペンレフィール６と同様に行われる。
【０００８】
繰り返し入力操作を行い、入力ペンレフィール６の先端が傷つけられた場合には、図５に示したように、後軸２より前軸１の螺合を外し、入力ペンレフィール６を押圧部材４の球状部４Ｄより外し、新たな入力ペンレフィール６を押圧部材４の球状部４Ｄに圧入すれば簡単に取り換えられる。図示してないがボールペンレフィール７も同様に取り換えられるものである。
これらの場合にも、入力ペンレフィール６およびボールペンレフィール７は、密着部８Ａによりガイドされるのでコイルスプリング８内を確実に挿通することができる。
【０００９】
尚、図示してないが、本発明の複合筆記具は、上記した実施例に限定されるものではなく、後軸に等間隔に３つの摺動溝を形成し、それぞれの摺動溝に押圧部材を内蔵するとともに、１つの押圧部材に入力ペンレフィールを連結し、他の２つの押圧部材に２色のボールペンレフィールを連結して構成しても良い。更に、レフィールの組合せは、筆記具レフィールを複数組み合わせても良い。また、筆記具レフィールとしてはボールペンに限らずシャープペンシルでも良い。
【００１０】
【発明の効果】
以上説明した本発明は、コイルスプリングの両端および中間部分の適宜位置に密着部を形成するという極めて簡単な構成により、レフィールの後部をコイルスプリングに挿通する時、密着部によりレフィールの後部がガイドされるので、レフィールの後部がコイルスプリング内を確実に挿通することができる。
従って、レフィールの組み立ておよびレフィールの取り換えが、容易にかつ確実に行えるとともに、コイルスプリングを変形させる恐れもないという効果が奏せられるものである。
【図面の簡単な説明】
【図１】本発明の複合筆記具を示す断面図である。
【図２】図１のＡ−Ａ線を示す断面図である。
【図３】図１のＢ−Ｂ線を示す断面図である。
【図４】コイルスプリングを示す主要部拡大断面図である。
【図５】入力ペンを取り換える状態を示す断面図である。
【図６】入力ペンが突出した状態を示す断面図である。
【図７】押圧部材の傾斜内段と後軸の係止突部の係止状態を示す主要部拡大断面図である。
【符号の説明】
１  前軸
１Ａ  前軸１の先端開口孔
２  後軸
２Ａ  後軸２の摺動溝
２Ｂ  後軸２の係止突部
４  押圧部材
４Ａ  押圧部材４のノック部
５  押圧部材
５Ａ  押圧部材５のノック部
８  コイルスプリング
８Ａ  コイルスプリング８の密着部
【図１】
0003792265.tif 000002
【図２】
0003792265.tif 000003
【図３】
0003792265.tif 000004
【図４】
0003792265.tif 000005
【図５】
0003792265.tif 000006
【図６】
0003792265.tif 000007
【図７】
0003792265.tif 000008